(57)【特許請求の範囲】
【請求項１】
ガラス等の透明板と、該透明板の裏面に設けられる表札等の表示体と、前記透明板と表示体を固定させる固定枠とから構成された表示プレートにおいて、前記透明板が前記表示体を挟んで一対の第１透明板と第２透明板とからなり、前記表示体が第１透明板の裏面に取り付けられた表札等の表記された第１シートを装着する第１表示体と、該第１表示体に相対する第２透明板の裏面に取り付けられ表札等の表記された第２シートを装着する第２表示体とからなり、且つ前記第１・第２表示体は一方向が開放した袋状に形成されるとともに、第１・第２透明板側に開口部が形成され、また第１・第２表示体部分の厚みで前記第１・第２透明板間の隙間が形成され、しかも前記第１・第２透明板の縁に沿ってコの字状の溝に嵌入することで固定する固定枠が取り付けられ、且つ該固定枠には、第１透明板と第２透明板との隙間を維持する維持体が取り付けられ、また、固定枠を門扉等に取り付ける取付台が設けられていることを特徴とする表示プレート。
【請求項２】
屋ガラス等の透明板が表示体を挟んで第１透明板と第２透明板とで形成し、前記表示体を第１透明板の裏面に取り付けられる第１表示体と第２透明板の裏面に取り付ける第２表示体とで形成し、前記第１表示体の開放された袋状部分に表札等の記載された第１シートを装着、及び第２表示体の開放された袋状部分に表札等の表記された第２シートを装着する際、前記第１シート及び第２シートにそれぞれ相違する所望の広告を付記して第１シート及び第２シートを形成して装着し、その後第１透明板と第２透明板を重ね合わせることで、第１・第２表示体の開口部が形成された側をそれぞれ第１・第２透明板側に位置し、且つ該第１透明板及び第２透明板の縁に沿ってコの字状の溝に嵌入することで固定枠に取り付け、その後該固定枠に門扉等に取り付ける取付台を取り付けることで該取付台に設けられた維持体で第１透明板と第２透明板との間を維持することで表示プレートを構成することを特徴とする表示プレートの作成方法。
【発明の詳細な説明】
【発明の詳細な説明】
【技術分野】
【０００１】本発明は、特に、屋外で使用する表札、記念表示体等の表示プレート、及び該表示プレートの作成方法に関する。
【背景技術】
【０００２】従来屋外で使用する表札用の表示プレートは、直接文字の刻設された表示体のみ構成されていたが、近年表示方法の多様化に伴い文字の形成された矩形状の表示体と、該表示体の表面に位置し、前記表示体と同形のガラスで形成された透明板と、前記表示体と透明板とを四隅で連結して固定する固定部とを備えている表示プレートが提案されている。【０００３】そして、前記表示プレートは表示体に透明板を固定具で取り付けた後、門扉等に固定状態で取り付ける。【０００４】また、前記表示体は表面が光に反射し易いように、着色、波状模様又は凹凸面に形成され、前記透明板の裏面に名字等の文字を刻設されている構成の表示プレートも使用されている。
【発明が解決しようとする課題】
【０００５】しかしながら、従来の表示プレートは、表示体に直接文字を刻設するか、透明板の裏面に直接刻設されているために、細かなデザイン又は写真等の追加ができず、表記の対応に限界があった。
【０００６】また、表示体又は透明板に直接文字等が刻設されているために、文字の表記の変更（例えば、漢字表記よりアルファベット表記等）ができない欠点があった。
【０００７】また、従来の表示プレートは、全体の四隅を直接門扉等に固定しているために、その固定作業及び取り外し作業が煩雑である欠点があった。
【０００８】また、従来の表示プレートは単に必要とする表示のみが表記されており、その空白域に、公告を表記することができない欠点があった。
【０００９】そこで、本発明は応用のある表記、及びその変更が容易であり、また、広告の付記もでき、しかもその取り付けが簡易である表示プレート、及び該表示プレートの作成方法を提供することを課題とする。
【課題を解決するための手段】
【００１０】上記課題を解決する手段は、請求項１に記載のように、ガラス等の透明板と、該透明板の裏面に取り付けられる表札等の表示体と、前記透明板と表示体を固定させる固定具とから構成プレートにおいて、前記透明板が前記透明板が前記表示体を挟んで一対の第１透明板と第２透明板とからなり、前記表示体が第１透明板の裏面に取り付けられ表札等の表記された第１シートを装着する第１表示体と該第１表示体に相対する第２透明板の裏面に取り付けられ表札等の表記された第２シートを装着する第２表示体とからなり、且つ前記第１・第２表示体は一方向に開放した袋状に形成されるとともに、第１・第２透明板側に開口部が形成され、また第１・第２表示体部分の厚みで前記第１・第２透明板間の隙間が形成され、しかも前記第１・第２透明板の縁に沿ってコの字状の溝に嵌入することで固定する固定枠が取り付けられ、且つ該固定枠には、第１透明板と第２透明板との隙間を維持する維持体が取り付けられ、また、固定枠を門扉等に取り付ける取付台が設けられていることを特徴とする。
【００１２】また、上記課題を解決する表示プレートの形成方法は、請求項２に記載のように、ガラス等の透明板が表示体を挟んだ第１透明板と第２透明板とで形成し、前記表示体を第１透明板の裏面に取り付けられる第１表示体と第２表示体透明板の裏面に取り付けられる第２表示体とで形成し、前記第１表示体の開放された袋状部分に表札等の表記された第１シートを装着、及び第２表示体の開放された袋状部分に表札等の表記された第２シートを装着する際、前記第１シート及び第２シートにそれぞれ相違する所望の広告を付記して第１シート及び第２シートを形成して装着し、その後第１透明板と第２透明板とを重ね合わせることで、第１・第２表示体の開口部が形成された側をそれぞれ第１・第２透明板側に位置し、且つ該第１透明板と第２透明板の縁に沿ってコの字状の溝に設けることで固定枠を取り付け、その後該固定枠に門扉等に取り付ける取付台を取り付けることで該取付台に設けられた維持体で第１透明板と第２透明板との間を維持することで表示プレートを構成することを特徴とする。
【作用・効果】
【００１３】本発明の表示プレートの作用・効果について記載する。
【００１４】先ず、請求項１に記載の表示プレートは、第１透明板の裏面に第１表示体を取り付け、第２透明板の裏面に第２表示体を取り付ける。
【００１５】次に、それぞれ相違する表札等の表記した第１シート、及び第２シートを作成し、前記第１表示体に第１シートを第１透明板側から見えるように装着し、前記第２表示体に第２シートを第２透明板側から見えるように装着する。
【００１６】次に、前記第１透明板の第１表示体側と第２透明板の第２表示体側とを密着するように相対して取り付けることで、第１・第２表示体部分で第１透明板と第２透明板との間に所望の隙間を形成する。
【００１７】前記隙間により雨等の水分が第１・第２透明板間に沿って内部空間に上昇することなく第１・第２表示体に装着した第１・第２シートを適切に保護することができる。
【００１８】その後、第１・第２透明板の縁部分沿って固定枠を取り付けることで、表示プレートを形成する。
【００１９】このため、表札面を第１透明板側と第２透明板側との２面形成でき、季節等に応じて自在に変更することができる。
【００２０】また、前記第１・第２シートの表記に写真を取り込むことで、名字と他のものを取り込むことができ、種々の応用にとんだ表記を可能とする。
【００２１】次に、前記表記プレートを請求項２に記載の門扉等に固定された固定枠に取り付けることで、表札等として使用することができる。
【００２２】この際、前記固定枠には第１・第２透明板間の隙間を維持する維持体が設けられているために、第１・第２透明板間の隙間の下方側を確実に維持でき、水対策を確実に行うことができる。
【００２３】次に、請求項３に記載の表示プレートを用いた広告システムについて説明する。
【００２４】ガラス等の透明板を表示体を挟んだ一対の第１透明板と第２透明板とで形成し、前記第１・第２透明板に挟まれた表示体を第１透明板の裏面に取り付けられる第１表示体と、第２透明板の裏面に取り付けられる第２表示体とで形成する。
【００２５】次に、前記第１表示体に表札等の表記された第１シートを装着し、前記第２表示体に表札等の表記された第２シートを装着する。
【００２６】この際、前記第１・第２シートにそれぞれ相違する広告を表札等とともに表記する。
【００２７】これにより、種々の変化のある表記を可能とするとともに、広告媒体としての利用も可能とすることができる。
【００２８】その後、前記第１・第２透明板の裏面を重ね合わせ、且つ前記第１・第２透明板の縁に沿って固定枠を取り付けることで表示プレートを構成することができる。
【００２９】このように、表示プレートを使用目的に応じて設置し、本来の表札等の役割以外の広告媒体としての役割をもつことができる。
【発明を実施するための最良の形態】
【００３０】以下、本発明の表示プレートについて図面に沿って説明する。【００３１】図面について説明する。図１は本発明の表示プレートを示す説明平面図であり、図２は図１の説明平面側面図であり、図３は図１の説明底面図であり、図４は本発明の表示プレートの他実施例を示す説明側面図であり、図５は透明板を示す説明平面図であり、図６は表示体を示す説明平面図であり、図７は固定枠を示す説明平面図であり、図８は表示体へのシートの装着を示す説明平面図であり、図９は表示プレートを用いた広告システムのフローチャートを示す。【００３２】本発明の表示プレート１は、矩形状で所望の厚さを有する一対のガラス等の第１・第２透明板２Ａ，２Ｂと、該第１・第２透明板２Ａ・２Ｂのそれぞれの裏面同位置に取り付けられた第１・第２表示体３Ａ・３Ｂと、該第１・第２表示体３Ａ・３Ｂにそれぞれ装着する第１・第２シート４Ａ・４Ｂと、前記第１・第２透明板２Ａ・２Ｂの外周縁に沿って３方向（上方、左右方向）に取り付ける略コの字状の固定枠５とから構成されている。【００３３】前記第１・第２透明板２Ａ・２Ｂは第１・第２表示体３Ａ・３Ｂの取り付けられた裏面側を相対して重ね合わせ、前記第１・第２表示体３Ａ・３Ｂ部分の厚みが第１・第２透明板２Ａ・２Ｂ間の隙間を形成する。【００３４】前記第１・第２表示体３Ａ・３Ｂは一方向が開放した袋状で、透明板２Ａ・２Ｂ側に矩形状の開口部３Ｃが形成され、第１・第２シート４Ａ・４Ｂの表記を該開口部３Ｃより透明板２Ａ・２Ｂ側に開示する。【００３５】尚、前記第１・第２透明板２Ａ・２Ｂの形状は矩形状に限定されるものでなく、三角形状、多角形状、又は円形状等に形成することも可能である。【００３６】また、第１・第２表示体３Ａ・３Ｂの形状も上記第１・第２透明板２Ａ・２Ｂと同様に三角形状等自在に形成することも可能である。【００３７】前記第１・第２シート４Ａ・４Ｂは、使用者の好みに応じて表札等の文字、又は、及びその他特徴とする写真等を表記して形成される。表記の作成は、パソコンを用いて独自の表記の作成が可能である。【００３８】また、第１・第２シート４Ａ・４Ｂの材質も特に問うものでなく、発光性のある材質、凹凸面を有する材質であってもよい。【００３９】前記固定枠５は内側に略コの字状の溝５Ａを有し、該溝５Ａ部分に前記第１・第２透明板２Ａ・２Ｂを嵌入することで、透明板２Ａ・２Ｂを固定する。【００４０】前記表示プレート１は取付台７を介して門扉等に取り付けられる。【００４１】前記取付台７は、固定枠５の下端側５Ｂを載置する載置部７Ａと、門扉等に取り付ける取付板７Ｂとから形成されている。また、載置部７Ａには前記第１・第２透明板２Ａ・２Ｂの隙間を維持する維持体７Ｃが取り付けられている。【００４２】尚、前記取付台７の形状は上記実施例に限定されるものでなく、載置部７Ａの下方側に溝に沿った挿入部７Ｄを形成してもよい。【００４３】本発明の表示プレート１は上記のように構成され、次に、該表示プレート１を表札として使用する場合について説明する。【００４４】先ず、第１シート４Ａを漢字表記された名字と該名字の周りを装飾する模様で作成し、第２シート４Ｂをアルファベット表記された名字と趣味の車等を合わせた表記で作成する。【００４５】次に、前記第１シート４Ａを第１透明板２Ａの裏面に取り付けられた第１表示体３Ａに装着し、前記第２シート４Ｂを第２透明板２Ｂの裏面に取り付けられた第２表示体３Ｂに装着する。【００４６】その後、前記第１透明板２Ａの裏面と前記第２透明板２Ｂの裏面とを合わせるように相対して第１表示体３Ａと第２表示体３Ｂとを重ね合わせる。これにより、第１・第２透明板２Ａ・２Ｂ間に所望の隙間を形成することができる。【００４７】そして、前記第１・第２透明板２Ａ・２Ｂの外周縁の３方向（左右方向、上方）を固定枠５の溝５Ａに設置する。【００４８】これにより、表示プレート１が形成される。【００４９】次に、門扉等に取付台７の取付板７Ｂを固定し、載置部７Ａに固定枠５の下端５Ｂを固定することで、表示プレート１を門扉等に取り付ける。【００５０】この際、前記載置部７Ａには維持体７Ｃが形成されているために、前記第１・第２透明板２Ａ・２Ｂ間の隙間を維持することができる。【００５１】また、表札の表記は季節等に応じて、第１・第２透明板２Ａ・２Ｂを入れ替えることで、第１シート４Ａと第２シート４Ｂとを交互に表示することができる。【００５２】このように、本発明の表示プレート１は表記を自在に変更することができ、また、その取り扱いが容易に行える。【００５３】尚、上記実施例では、表示プレート１を表札として使用したが、本発明の表示プレート１の使用はこれに限定されるものでなく、例えば、墓石のメモリアル写真の表示プレート１として使用することも可能である。【００５４】前記第１・第２シート４Ａ、４Ｂの表札等の表記の空白域に広告を付記することも可能である。【００５５】広告は第１・第２シート４Ａ，４Ｂを作成する際、パソコン通信により特定企業と広告契約を結んだホームページよりサンプルをプリントして容易に作成することができる。【００５６】また、広告内容も第１・第２シート４Ａ、４Ｂで相違することで複数の広告表示を行うことができる。【００５７】表示プレート１の使用目的に応じて自在に広告内容を変更することができる。
【図面の簡単な説明】
【００５８】
【図１】本発明の表示プレートを示す説明平面図
【図２】図１の表示プレートを示す説明側面図
【図３】図１の表示プレートを示す説明底面図
【図４】本発明の表示プレートの他実施例を示す説明平面図
【図５】透明板を示す説明平面図
【図６】表示体を示す説明平面図
【図７】固定枠を示す説明平面図
【図８】表示体へのシートの装着を示す説明平面図
【図９】表示プレートを用いた広告システムを示すフローチャート
【符号の説明】
【００４６】１−表示プレート、２−透明板、３−表示体、４−シート、５−固定枠
【図１】
0005935848.tif 000002
【図２】
0005935848.tif 000003
【図３】
0005935848.tif 000004
【図４】
0005935848.tif 000005
【図５】
0005935848.tif 000006
【図６】
0005935848.tif 000007
【図７】
0005935848.tif 000008
【図８】
0005935848.tif 000009
【図９】
0005935848.tif 000010